(57)【要約】【課題】低圧室を屋外設置すると、降雨時には雨水が筐体を叩き騒音となり、日照時には直射日光で筐体が加熱され該筐体からの輻射伝熱により該低圧室入室者は暑苦しさ等の不快感を禁じ得ず、よって低圧室の屋内設置を余儀なくされていた。又、低圧室を平面的設置にすると、高地価地域では敷地調達に費用が嵩むため問題があった。【解決手段】低圧に耐え得る低圧室筐体（２）と、前記低圧室筐体（２）内部の圧力を制御するための圧力制御機構（３）で構成する低圧室（１）において、前記低圧室筐体（２）の周囲に雨音や直射日光を遮る被い（７）を設けることによって、前記低圧室（１）を屋外設置できるようにし、更に、低圧室筐体（２）を、積層可能な架台（８）内部に設置し、又は、低圧室筐体（２）上部に低圧室（１）を積層可能な支持金具（１０）を設けることによって、前記低圧室（１）を多段積層できるようにした。【選択図】図１
2008012249.tif 000002
【特許請求の範囲】
【請求項１】
低圧に耐え得る低圧室筐体（２）と、前記低圧室筐体（２）内部の圧力を制御するための圧力制御機構（３）で構成する低圧室（１）において、前記低圧室筐体（２）の周囲に雨音や直射日光を遮ることのできる機能を備えた被い（７）を設けることによって、前記低圧室（１）を屋外設置できることを特徴とする屋外設置型低圧室。
【請求項２】
低圧室筐体（２）を、積層可能な機能を備えた架台（８）内部に設置し、又は、低圧室筐体（２）上部に低圧室（１）を積層可能な機能を備えた支持金具（１０ａ）、（１０ｂ）を設けることによって、前記低圧室（１）を多段積層できることを特徴とする請求項１記載の屋外設置型低圧室。
【発明の詳細な説明】
【技術分野】
【０００１】本発明は、高地の気圧環境を平地で実現するための低圧室に関するものである。
【背景技術】
【０００２】近年、高地環境における人の生理的意義の研究が盛んになってきている。ここで、高地とは、低酸素分圧環境を意味し、例えば平地で１気圧のとき高度１８００ｍ、２４００ｍではそれぞれ０．８０気圧、０．７４気圧となる。そして、高地でトレーニングを続けると長距離種目やマラソンなどで好成績をあげている事実が伝えられている。また、日常的に運動しない人にとっても高地に滞在することにより心肺機能をはじめとする生理機能の順応力が起こり、平地と同じ生活負荷であれば高地の方が相対的に高くなり、酸素運搬機能などの向上により細胞内のエネルギー代謝の効率化が期待される。【０００３】そこで、身体を鍛える運動を気圧利用をもって行うようにした運動用気密室（例えば、特許文献１参照）や、標高の高い土地で行う実際の高地トレーニングに代えて平地で高地訓練を可能とする減圧訓練施設（例えば、特許文献２参照）や、運動選手が長期滞在できる減圧施設（例えば、特許文献３参照）、さらに、地下又は半地下に設置された運動用大規模減圧訓練施設（例えば、特許文献４、５参照）がそれぞれ提案されているものの、これらは何れも運動することを前提とした大規模低圧室の構造に関するものである。【０００４】さらにまた、疑似高地トレーニングを提案した減圧訓練施設（例えば、特許文献６参照）が提案されているものの、これらも運動することを前提とした大規模低圧室の構造に関するものである。
【特許文献１】  特公平０２−４２９９２号公報
【特許文献２】  特開平０８−１１２３７３号公報
【特許文献３】  特開平１１−３３６３７３号公報
【特許文献４】  特許第２９１９１１１号公報
【特許文献５】  特開２０００−５４６６６号公報
【特許文献６】  実開平０２−１１８５７１号公報
【発明の開示】
【発明が解決しようとする課題】
【０００５】従来、低圧室は減圧に耐え得る強度を確保するため機械的強度に優れる鋼板で筐体を製作しているが、このような低圧室を屋外設置すると、降雨時には雨水が筐体を叩き騒音となり、日照時には直射日光で筐体が加熱され該筐体からの輻射伝熱により該低圧室入室者は暑苦しさ等の不快感を禁じ得ず、よって低圧室の屋内設置を余儀なくされていた。また、低圧室を平面的設置にすると高地価地域では敷地調達に費用が嵩むため問題があった。そこで、本発明が解決しようとする課題は、低圧室の屋外設置における低圧室入室者の不快感解消と、低圧室を設置する敷地の有効活用にある。
【課題を解決するための手段】
【０００６】上記課題を解決するため、請求項１の発明は、低圧に耐え得る低圧室筐体（２）と、前記低圧室筐体（２）内部の圧力を制御するための圧力制御機構（３）で構成する低圧室（１）において、前記低圧室筐体（２）の周囲に雨音や直射日光を遮ることのできる機能を備えた被い（７）を設けることによって、前記低圧室（１）を屋外設置できる屋外設置型低圧室であることを特徴とする。【０００７】請求項２の発明は、低圧室筐体（２）を、積層可能な機能を備えた架台（８）内部に設置し、又は、低圧室筐体（２）上部に低圧室（１）を積層可能な機能を備えた支持金具（１０ａ）、（１０ｂ）を設けることによって、前記低圧室（１）を多段積層できる請求項１記載の屋外設置型低圧室であることを特徴とする。
【発明の効果】
【０００８】本発明によって、低圧室は降雨時の雨水による騒音問題と日照時の直射日光による筐体加熱問題が解消でき、屋内・屋外を問わず何処でも自由に設置可能となった。また、低圧室の多段積層化は、高地価地域においても低圧室設置の高容積効率化が実現できるため、土地の有効利用にも絶大な効果がある。
【発明を実施するための最良の形態】
【０００９】図１に本発明の実施形態を示した正面図を、図２に図１の左側面図を、図３に図１の右側面図を、図４に図２のＡ−Ａ線方向の断面図を、図５に図１のＢ−Ｂ線方向の断面図を、図６に図１のＣ−Ｃ線方向の断面図を、それぞれ示す。
【実施例】
【００１０】低圧に耐え得る低圧室筐体（２）と、前記低圧室筐体（２）内部の圧力を制御するための圧力制御機構（３）で構成する低圧室（１）において、前記低圧室筐体（２）の周囲に雨音や直射日光を遮ることのできる機能を備えた被い（７）を設けることによって、前記低圧室（１）を屋外設置できるようにした。【００１１】他の実施形態について説明する。
図７に本発明の他の実施形態を示した正面図を、図８に図７の左側面図を、図９に図７の右側面図を、図１０に図２の低圧室を積層した実施形態を、図１１に図８の低圧室を積層した実施形態をそれぞれ示す。
低圧室筐体（２）を、積層可能な機能を備えた架台（８）内部に設置し、又は、低圧室筐体（２）上部に低圧室（１）を積層可能な機能を備えた支持金具（１０ａ）、（１０ｂ）を設けることによって、前記低圧室（１）を多段積層できるようにした。
【産業上の利用可能性】
【００１２】従来、低圧室は減圧に耐え得る強度を確保するため機械的強度に優れる鋼板で筐体を製作しているが、このような低圧室を屋外設置すると、降雨時には雨水が筐体を叩き騒音となり、日照時には直射日光で筐体が加熱され該筐体からの輻射伝熱により該低圧室入室者は暑苦しさ等の不快感を禁じ得ず、よって低圧室の屋内設置を余儀なくされていた。又、低圧室を平面的設置にすると、高地価地域では敷地調達に費用が嵩むため問題があったが、本発明によって、降雨時の雨水による騒音問題と日照時の直射日光による筐体加熱問題が解消でき、屋内・屋外を問わず何処でも自由に設置可能となった。また、低圧室の多段積層化は高地価地域においても低圧室設置の高容積効率化が実現できるため、低圧室サービスショップによるリラクゼーションビジネス等では土地の有効利用にも絶大な効果がある。
【図面の簡単な説明】
【００１３】
【図１】本発明の実施形態を示した正面図である。
【図２】図１の左側面図である。
【図３】図１の右側面図である。
【図４】図２のＡ−Ａ線方向の断面図である。
【図５】図１のＢ−Ｂ線方向の断面図である。
【図６】図１のＣ−Ｃ線方向の断面図である。
【図７】本発明の他の実施形態を示した正面図である。
【図８】図７の左側面図である。
【図９】図７の右側面図である。
【図１０】図２の低圧室を積層した実施形態である。
【図１１】図８の低圧室を積層した実施形態である。
【符号の説明】
【００１４】１      低圧室
２      筐体
３      圧力制御機構
４ａ    鏡板
４ｂ    鏡板
５ａ    鏡板開口部
５ｂ    鏡板開口部
６ａ    気密扉
６ｂ    気密扉
７      被い
８      架台
９ａ    床板
９ｂ    床板
１０ａ  支持金具
１０ｂ  支持金具
１１    階段
【図１】
2008012249.tif 000003
【図２】
2008012249.tif 000004
【図３】
2008012249.tif 000005
【図４】
2008012249.tif 000006
【図５】
2008012249.tif 000007
【図６】
2008012249.tif 000008
【図７】
2008012249.tif 000009
【図８】
2008012249.tif 000010
【図９】
2008012249.tif 000011
【図１０】
2008012249.tif 000012
【図１１】
2008012249.tif 000013
【手続補正書】
【提出日】平成18年9月8日(2006.9.8)
【手続補正１】
【補正対象書類名】図面
【補正対象項目名】図１１
【補正方法】変更
【補正の内容】
【図１１】
2008012249.tif 000014